(57)【要約】【課題】  本発明は確認印刷モード設定中に印刷を開始しようとするユーザに対して、現在設定されている動作モードが確認印刷モードであることを気がつかせることを目的とする。【解決手段】  本発明は、画像形成装置であって、画像データに基づいて画像を印刷する印刷手段と、前記印刷手段により印刷された前記画像の印刷結果をサービスマンが確認するための確認印刷モードを設定する設定手段と、前記画像の印刷を開始するための操作に基づいて、前記確認印刷モードが設定されていることをユーザに通知する通知手段と、を有することを特徴とする。【選択図】  図４
2018008516.tif 000002
【特許請求の範囲】
【請求項１】
画像形成装置であって、
画像データに基づいて画像を印刷する印刷手段と、
前記印刷手段により印刷された前記画像の印刷結果をサービスマンが確認するための確認印刷モードを設定する設定手段と、
前記画像の印刷開始を指示する操作に基づいて、前記確認印刷モードが設定されていることをユーザに通知する通知手段と、を有することを特徴とする画像形成装置。
【請求項２】
前記印刷手段による印刷とともにカウントを更新する課金カウンタと、を有し、
前記課金カウンタは前記確認印刷モードでは前記カウントを行わないことを特徴とする請求項１に記載の画像形成装置。
【請求項３】
前記通知手段は前記確認印刷モードのまま前記画像データの印刷を継続するか否かをユーザに選択させる選択手段と、を有することを特徴とする請求項１または２に記載の画像形成装置。
【請求項４】
前記画像データを入力する入力手段と、を有し、
前記確認印刷モードは前記入力手段において入力された前記画像データに所定のパターン画像を重畳した前記画像データに基づいて前記印刷手段により印刷することを特徴とする請求項１乃至３のいずれか一項に記載の画像形成装置。
【請求項５】
前記印刷手段により印刷される課金の対象でない印刷物の印刷枚数をカウントする非課金カウンタと、を有し、
前記非課金カウンタは前記確認印刷モードにおいて、前記印刷手段による印刷に伴ってカウントを更新することを特徴とする請求項１乃至４のいずれか一項に記載の画像形成装置。
【請求項６】
前記通知手段は前記確認印刷モードにおいて前記印刷手段により印刷される印刷物がどのようなものであるかをユーザに通知することを特徴とする請求項１乃至５のいずれか一項に記載の画像形成装置。
【請求項７】
前記設定手段により前記確認印刷モードが設定されたことを記憶する記憶手段と、
ユーザからの前記画像データの印刷のための操作を受信し、前記記憶手段に記憶された情報に従って、前記通知手段による通知を行うことを特徴とする請求項１乃至６のいずれか一項に記載の画像形成装置。
【請求項８】
画像形成装置であって、
画像データに基づいて画像を印刷する印刷手段と、
前記印刷手段により印刷された前記画像の印刷結果をサービスマンが確認するための確認印刷モードを設定する設定手段と、
前記印刷手段による印刷を行う機能を選択する操作に基づいて、前記確認印刷モードが設定されていることをユーザに通知する通知手段と、を有することを特徴とする画像形成装置。
【請求項９】
画像を印刷する印刷手段を有する画像形成装置の制御方法であって、
前記印刷手段により印刷された前記画像の印刷結果をサービスマンが確認するための確認印刷モードの設定を受け付ける受付ステップと、
前記印刷手段による印刷を開始する指示を受信して、前記確認印刷モードが設定されていることをユーザに通知する通知ステップと、を有することを特徴とする画像形成装置の制御方法。
【請求項１０】
画像を印刷する印刷手段を有する画像形成装置のコントローラに、
前記印刷手段により印刷された前記画像の印刷結果をサービスマンが確認するための確認印刷モードの設定を受け付ける受付ステップと、
前記印刷手段による印刷を開始する指示を受信して、前記確認印刷モードが設定されていることをユーザに通知する通知ステップと、を実行させるためのプログラム。
【請求項１１】
画像を印刷する印刷手段を有する画像形成装置の制御方法であって、
前記印刷手段により印刷された前記画像の印刷結果をサービスマンが確認するための確認印刷モードの設定を受け付ける受付ステップと、
前記印刷手段による印刷を行う機能を選択する指示を受信して、前記確認印刷モードが設定されていることをユーザに通知する通知ステップと、を有することを特徴とする画像形成装置の制御方法。
【請求項１２】
画像を印刷する印刷手段を有する画像形成装置のコントローラに、
前記印刷手段により印刷された前記画像の印刷結果をサービスマンが確認するための確認印刷モードの設定を受け付ける受付ステップと、
前記印刷手段による印刷を行う機能を選択する指示を受信して、前記確認印刷モードが設定されていることをユーザに通知する通知ステップと、を実行させることを特徴とするプログラム。
【発明の詳細な説明】
【技術分野】
【０００１】
本発明は、画像形成装置、その制御方法、及びプログラムに関するものである。
【背景技術】
【０００２】
従来、プリントやコピー等の印刷機能を有する画像形成装置には、サービスマンが画像形成装置を使用する動作モードがある。サービスマンが利用する動作モードは、画像形成装置の出力する色の調整や印刷物に発生した画像の乱れ等の異常を解消するための調整を行うためのモードである。
【０００３】
このようなモードにおいてサービスマンが調整を行った後、画像形成装置が正常に動作するかを確認するための確認印刷モードにおいて試し印刷（テストプリント）を行う。確認印刷モードでは、ユーザの利用するＰＣ等から画像形成装置に任意の画像データを入力して印刷したり、任意の画像をコピーしたりする。
【０００４】
上記のようなテストプリントは、出力された印刷物がテストプリントとして印刷されたものであることがわかるよう印刷する画像データに予め決められた格子模様等のパターン画像を重畳して出力することが提案されている。さらに、特許文献１には、確認印刷モードが設定されているときに、メニュー画面や各機能の設定を行うための基本画面に確認印刷モードが設定されていることを表示することが記載されている。
【先行技術文献】
【特許文献】
【０００５】
【特許文献１】特開２０１５−２３７２号公報
【発明の概要】
【発明が解決しようとする課題】
【０００６】
サービスマンでない一般のユーザはサービスマンがテストプリントを行うための確認印刷モードがあることを知らないことがある。このような一般のユーザは確認印刷モードが設定されているときに、メニュー画面や基本画面に表示された確認印刷モード設定中の表示を確認することなく、印刷をするための操作を行ってしまうことがある。また、一般のユーザが確認印刷モード中であることを確認していたとしても、その解除手順がわからず、正常な出力を行うことができないケースが発生する。
【０００７】
そこで、本発明は印刷を開始しようとするユーザに対して、現在設定されている動作モードが確認印刷モードであることを認識させるとともに、認識後に適切な対処を可能とすることを目的とする。
【０００８】
また、本発明は画像形成装置の印刷部を用いる機能を利用しようとするユーザに対して、現在設定されている動作モードが確認印刷モードであることを認識させるとともに、認識後に適切な対処を可能とすることを目的とする。
【課題を解決するための手段】
【０００９】
本発明における画像形成装置は、画像データに基づいて画像を印刷する印刷手段と、前記印刷手段により印刷された前記画像の印刷結果をサービスマンが確認するための確認印刷モードを設定する設定手段と、前記画像の印刷を開始するための操作に基づいて、前記確認印刷モードが設定されていることをユーザに通知する通知手段と、を有することを特徴とする。
【００１０】
また、本発明における画像形成装置は、画像データに基づいて画像を印刷する印刷手段と、前記印刷手段により印刷された前記画面の印刷結果をサービスマンが確認するための確認印刷モードを設定する設定手段と、前記印刷手段による印刷を行う機能を選択するための操作に基づいて、前記確認印刷モードが設定されていることをユーザに通知する通知手段と、を有することを特徴とする。
【発明の効果】
【００１１】
本発明によれば、画像の印刷を開始しようとするユーザに対して、現在設定されている動作モードが確認印刷モードであることを気がつかせることができる。また、本発明は画像形成装置の印刷に関する機能を利用しようとするユーザに対して、現在設定されている動作モードが確認印刷モードであることを認識させるとともに、認識後に適切な対処を可能とすることができる。
【図面の簡単な説明】
【００１２】
【図１】画像形成システムの全体図である。
【図２】本発明の実施形態に係るＭＦＰ１０１の構成を示すブロック図である。
【図３】本発明の実施形態に係る操作部１１６を示す外観図である。
【図４】本発明の実施形態に係るディスプレイ３２０に表示される操作画面を示す図である。
【図５】本発明の実施形態に係る出力画像の例を示す図である。
【図６】本発明の実施形態に係るＭＦＰ１０１の動作モードの遷移を説明する図である。
【図７】本発明の第１の実施形態に係る処理を示すフローチャートである。
【図８】本発明の第２の実施形態に係るディスプレイ３２０に表示される操作画面を示す図である。
【図９】本発明の第２の実施形態に係る処理を示すフローチャートである。
【図１０】本発明の第３、第４、第６の実施形態に係るディスプレイ３２０に表示される操作画面を示す図である。
【図１１】本発明の第５の実施形態に係るディスプレイ３２０に表示される操作画面を示す図である。
【図１２】本発明の第５の実施形態に係る処理を示すフローチャートである。
【図１３】本発明の第６の実施形態に係る処理を示すフローチャートである。
【発明を実施するための形態】
【００１３】
（第１の実施形態）
まず、本発明の第１の実施形態について説明する。図１は、本実施形態に係る画像形成システムを示すブロック図である。ネットワーク１００上には、ＭＦＰ（Ｍｕｌｔｉｆｕｎｃｔｉｏｎ  Ｐｅｒｉｐｈｅｒａｌ）１０１、ＰＣ１０２が互いに通信可能に接続されている。本実施形態では画像形成装置の一例としてＭＦＰ１０１を、情報処理装置の一例としてＰＣ１０２を用いて説明する。ＭＦＰ１０１やＰＣ１０２は、ネットワーク１００を介してインターネット（不図示）と接続され、ＭＦＰ１０１はＰＣ１０２から印刷データを受信することができる。
【００１４】
まず、ＰＣ１０２について説明する。ＰＣ１０２には、プリンタドライバ（不図示）がインストールされている。ＰＣ１０２はネットワーク１００を介して外部の装置（本実施形態では画像形成装置１０１）に作成した印刷データを送信することができる。
【００１５】
次に、ＭＦＰ１０１について説明する。ＭＦＰ１０１はシート上の画像を読み取るスキャナやスキャナによって読み取った画像を印刷する印刷部を有している。上記のスキャナや印刷部を用いて、スキャン機能、コピー機能、プリント機能等の機能を実現する。
【００１６】
図２は、本実施形態に係るＭＦＰ１０１の構成を示すブロック図である。ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して、読取部や印刷部などの各部の制御を行う。ＲＯＭ１１２は、ＣＰＵ１１１で実行可能な制御プログラムを格納する。また、ＲＯＭ１１２は、ブートシーケンスやフォント情報などを格納する。ＲＡＭ１１３は、ＣＰＵ１１１の主記憶メモリであり、ワークエリアとして用いられる。また、ＲＡＭ１１３は、ＲＯＭ１１２及びストレージ１１４に格納された各種制御プログラムを展開するための一時記憶領域として用いられる。ストレージ１１４は、画像データ、印刷データ、各種プログラム、及び各種設定情報を記憶する。本実施形態ではストレージ１１４をフラッシュメモリとして説明する。しかし、フラッシュメモリ以外のＳＳＤ（Ｓｏｌｉｄ  Ｓｔａｔｅ  Ｄｅｖｉｃｅ）やＨＤＤなどの補助記憶装置を用いることとしても良い。
【００１７】
なお、本実施形態のＭＦＰ１０１では、１つのＣＰＵ１１１と１つのメモリ（ＲＡＭ１１３）とを用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することとしてもよい。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等のハードウェア回路を用いて一部の処理を実行することとしてもよい。
【００１８】
操作部Ｉ／Ｆ１１５は、操作部１１６と制御部１１０を接続する。操作部１１６は、ＬＣＤ等のディスプレイおよびタッチパネル等の入力装置から構成されユーザに対して画像形成装置の情報を表示したり、ユーザからの入力を受け付けたりする。
【００１９】
読取部Ｉ／Ｆ１１７は、読取部１１８と制御部１１０を接続する。読取部１１８はシート上の画像を読み取って、その画像をバイナリーデータなどの画像データに変換する。読取部１１８によって生成された画像データは、ネットワークを介してＰＣ等の外部装置に送信されたり、シート上に印刷されたりする。
【００２０】
印刷部Ｉ／Ｆ１１９は、印刷部１２０と制御部１１０を接続する。ＣＰＵ１１１は、印刷対象の画像データを印刷部Ｉ／Ｆ１１９を介して印刷部１２０に転送する。印刷部１２０は、給紙カセット１２４から給送されたシート上に受信した画像を印刷する。
【００２１】
また、制御部１１０は、通信部Ｉ／Ｆ１２３を介してネットワーク１００に接続される。通信部Ｉ／Ｆ１２３は、ネットワーク１００上の外部装置に画像データや情報を送信したり、ネットワーク１００上の情報処理装置から印刷データや情報を受信したりする。
【００２２】
ネットワークを介した印刷データの送受信の方法は、例えば前述した電子メールを用いた送受信があげられる。その他にも、ＦＴＰ（Ｆｉｌｅ  Ｔｒａｎｓｆｅｒ  Ｐｒｏｔｏｃｏｌ）やＳＭＢ（Ｓｅｒｖｅｒ  ｍｅｓｓａｇｅ  Ｂｌｏｃｋ）等のプロトコルを用いた送受信である。更に、ＭＦＰ１０１はモデム及びＰＳＴＮ（Ｐｕｂｌｉｃ  Ｓｗｉｔｃｈｅｄ  Ｔｅｌｅｐｈｏｎｅ  Ｎｅｔｗｏｒｋ）を介して外部のファクス装置との間におけるファクシミリデータの送受信を行うこともできる。
【００２３】
また、ＳＲＡＭ（Ｓｔａｔｉｃ  Ｒａｎｄｏｍ  Ａｃｃｅｓｓ  Ｍｅｍｏｒｙ）１２５は不揮発性の記憶媒体であり、ＭＦＰ１０１の課金カウンタや非課金カウンタ等、各種カウンタ情報１２６を記憶する。本実施形態で説明するＭＦＰ１０１はユーザの印刷した印刷枚数に基づいてユーザに対して課金を行うＭＦＰである。そのため、ユーザが印刷を行った印刷枚数を管理するための課金カウンタを備えている。サービスマンが印刷画像の調整を行った後に行うテストプリントはユーザによる印刷ではないため課金対象から除外する必要がある。そこで、ＭＦＰ１０１は課金の対象とならないサービスマンが行ったテストプリントをカウントするための非課金カウンタを備えている。
【００２４】
以上の構成を備えたＭＦＰ１０１における課金管理の仕組みについて簡単に説明する。
【００２５】
ＭＦＰ１０１は、ネットワーク１００及び通信部Ｉ／Ｆ１２３、又は読取部１１８を介して入力される画像データを印刷部１２０で印刷する。印刷部１２０で印刷データを一枚印刷する毎に、課金の対象である印刷物の印刷枚数をカウントする課金カウンタの数を一つ増やし更新する。課金カウンタによってカウントされた印刷枚数の情報は、外部のＰＣ１０２によって取得することが可能であり、この情報に基づいて後にＭＦＰ１０１の利用者に対し課金する金額が決定される。
【００２６】
本実施形態のＭＦＰ１０１は「通常モード」「メンテナンスモード」「確認印刷モード」の３つの動作モードを持つ。
【００２７】
「通常モード」は、一般のユーザがコピー機能、プリント機能、スキャナ機能、及びファクシミリ機能を利用するために操作をするための動作モードである。
【００２８】
「メンテナンスモード」は、サービスマンがＭＦＰ１０１を使用する動作モードであり、サービスマンがＭＦＰ１０１のメンテナンス作業を行うための動作モードである。メンテナンス作業とは、例えば、画像の乱れや色ずれが発生した時に、ＭＦＰ１０１の各種パラメータの設定を確認、又は変更する作業である。また、画像調整用にテストパターンを印刷するために調整用の試験用プリントを実行することもメンテナンス作業の１つに含まれる。また、印刷した印刷物の枚数をカウントするためのカウンタ情報や、ＭＦＰ１０１のファームウェアやソフトウェアのバージョンを確認することなどもメンテナンス作業に含まれる。
【００２９】
「確認印刷モード」は、サービスマンがコピーやプリント機能を利用するためのモードである。このモードは、サービスマンが画像の色調整等メンテナンスをした後に通常のコピーやプリントを行う場合に利用する。印刷した印刷結果をサービスマンが確認して色や画像の乱れが起こっておらず、正しく調整を行えたかどうかを判断する。確認印刷モードにおいて印刷部１２０による印刷結果を確認するための印刷はテストプリントであるとし、テストプリント時には印刷する画像データに格子模様等予め決められた模様を重畳して印刷する。このように予め決められた模様等を重畳して印刷することで、サービスマンがテストプリントを行った印刷物がどれであるかをわかりやすくすることができる。
【００３０】
確認印刷モードを設定するためには、動作モードを通常モードからメンテナンスモードに切り替え、その後メンテナンスメニューから確認印刷モードを設定する。また、確認印刷モードを解除するときも、一度、動作モードをメンテナンスモードに切り替え、メンテナンスメニューから確認印刷モードを終了する。
【００３１】
なお、メンテナンスモードや確認印刷モードにおいて実行したコピージョブやプリントジョブは画像形成装置の調整を行うためにサービスマンが利用したコピージョブやプリントジョブであるため課金されないジョブである。そこで、メンテナンスモードや確認印刷モードにおいてコピージョブやプリントジョブを実行した場合、非課金カウンタのカウントを印刷したシートの枚数分更新する。本実施形態ではメンテナンスモード設定中に後述する試験用プリントが行われた場合は印刷した枚数分だけ非課金カウンタがあがるとして説明する。しかし、試験用プリントの場合に非課金カウンタ、課金カウンタどちらもカウントを更新しないこととしてもよい。
【００３２】
ＭＦＰ１０１は上述した「通常モード」「メンテナンスモード」「確認印刷モード」の３つの何れかの動作モードで動作するが、各動作モードで表示される操作画面は異なる。各動作モードにおける操作画面については図４を用いて後述する。
【００３３】
図３は、ＭＦＰ１０１の操作部１１６を示す外観図である。操作部１１６は、後述する操作画面を表示するディスプレイ３２０及び各種のハードキーからなる。ディスプレイ３２０はタッチパネルと一体となるように設けられている。例えば、タッチパネルの光の透過率がディスプレイ３２０の表示を遮らないような構成をしており、タッチパネルがディスプレイ３２０の上層に取り付けられている。タッチパネルにおけるユーザのタッチ位置をしめす入力座標と、ディスプレイ３２０上の表示座標とを対応付ける。このようにすることで、あたかもユーザがディスプレイ３２０に表示された画面を直接的にタッチして操作しているかのように操作することが可能になる。ディスプレイ３２０及び各種のハードキーはユーザからの指示を受け付ける。
【００３４】
操作部１１６にはディスプレイ３２０上に表示される画面上の選択肢を選択するためのスクロールキー３１２Ｕ、３１２Ｄ、３１２Ｌ、３１２Ｒと、スクロールキーによって選択された選択肢を決定するためのＯＫキー３１１が備えられている。ユーザは、スクロールキー３１２とＯＫキー３１１を用いてディスプレイ３２０に表示される画面に表示された選択肢から１つの項目を指定することができる。また、ユーザは、ディスプレイ３２０に表示される選択肢を指やスタイラス等タッチペンで直接タッチし、選択肢を設定することもできる。
【００３５】
状況確認キー３０２はディスプレイ３２０にＭＦＰ１０１の状態を確認する画面（状況確認画面）を表示するためのキーである。状況確認画面とは、シリアルナンバーの表示やカートリッジの状態等ＭＦＰ１０１のデバイスに関する情報やコピー・プリントジョブの状況を表示するための画面である。ユーザは、状況確認画面を介して実行中のプリントジョブの状態を確認することができる。
【００３６】
ランプ３１３及びランプ３１４はＭＦＰの状態をユーザに通知するものである。ランプ３１３は、電子メールや印刷ジョブの受信中や実行中に点灯し、ランプ３１４はＭＦＰ１０１に何らかのエラーが発生した際に点灯する。
【００３７】
ストップキー３１５は、ジョブのキャンセルを指示する事が出来る。たとえば、外部の画像処理装置から画像データの受信中に受信を中止する場合に用いられる。また、印刷中にストップキー３１５を押下することで印刷処理を中断することができる。
【００３８】
スタートキー３１６、３１７は、ジョブの開始を指示するためのボタンである。図４（ａ）（ｂ）に示す、コピー機能、スキャン機能、ファクス機能など各機能の基本画面がディスプレイ３２０に表示された状態でスタートキー３１６または３１７が押下されることで各機能にかかる処理が開始する。スタートキー３１６は白黒スタートキー、スタートキー３１７はカラースタートキーで、それぞれ白黒またはカラーのいずれのカラーモードでのジョブ開始指示を行う。
【００３９】
ここで説明した各種キーは、同様の機能のボタンを、ディスプレイ３２０に表示し、タッチパネルの入力により実行することも可能とする。
【００４０】
図４は、ＣＰＵ１１１が操作部１１６のディスプレイ３２０に表示する操作画面の一例を示す図である。図４に示すディスプレイ３２０に表示される画面の例に基づいて第一の実施形態におけるＭＦＰ１０１の動作を説明する。
【００４１】
図４（ｆ）はホーム画面である。ホーム画面７００にはＭＦＰ１０１の有する各種機能の基本画面を表示するための画面が表示されている。各種機能とは例えば、コピー機能、ファクス機能、スキャン機能等である。「コピー」ボタン７０３はコピーの基本画面を表示するためのボタンであり、ユーザが「コピー」ボタン７０３をタッチまたは選択したことに従って、ディスプレイ３２０にコピー機能の基本画面を表示する。「ファクス」ボタン７０４はファクス機能の基本画面を表示するためのボタンである。「スキャン」ボタン７０５はスキャナ機能の基本画面を表示するためのボタンである。スクロールキー３１２Ｌ、３１２Ｕ、３１２Ｒ、３１２ＤまたはＯＫキー３１１を操作することによりユーザは使用する機能を選択する。また、ハードキーを用いずに、ディスプレイ３２０をユーザがタッチ操作して、利用する機能を選択することとしてもよい。本実施形態では、通常モード、確認印刷モードどちらの場合も、ホーム画面は図４（ｆ）に示すような画面であることとして説明をする。ただし、確認印刷モード設定時に、ホーム画面に後述する図４（ｂ）のように確認印刷モードが設定されていることを表示することとしてもよい。
【００４２】
図４（ａ）に示す基本画面４００は、通常モードのコピー機能の基本画面である。図４（ａ）に示すコピー機能の基本画面は動作モードが通常モードが設定された状態で、図４（ｆ）に示すホーム画面において、「コピー」ボタン７０３を選択することでディスプレイ３２０に表示される。
【００４３】
コピー機能の基本画面４００は縦７行分の文字列を表示することのできる表示欄から構成される。１行目にどの機能についての画面を表示しているかを表すメッセージが表示される。２行目には、現在のモードを示す情報を表示する。ただし、通常モードの場合は、２行目にモードの表示を行わない。図４（ａ）は通常モードにおける画面表示であるため、表示が行われていない。第一の実施形態では、通常モードの場合に２行目の表示を行わないとして説明するが、通常モードの場合も２行目にモードの表示を行うこととしてもよい。
【００４４】
４０１で示される３〜７行目の領域には各機能の設定項目の一部が表示される。図４（ａ）はコピー機能を利用するときの操作画面であるため、コピー機能に対応する設定項目の一部が表示される。色の反転している項目は現在選択されている項目であり、スクロールキー３１２Ｕ、３１２Ｄのいずれかを押下することで、選択項目を変更することができる。また、ある項目を選択した状態でＯＫキー３１１を押下すると、選択された項目の設定を変更することができる。ディスプレイ３２０をタッチすることで設定項目の選択および変更を行うこととしてもよい。
【００４５】
図４（ｂ）は、確認印刷モードにおけるコピー機能の基本画面である。図４（ｂ）に示す確認印刷モードにおけるコピー機能の基本画面は、動作モードが確認印刷モードが設定されている状態で、図４（ｆ）に示すホーム画面において「コピー」ボタン７０３を選択することでディスプレイ３２０に表示される。
【００４６】
ＭＦＰ１０１の動作モードが確認印刷モードであるため、２行目に確認印刷モードである旨が表示されている。この表示により、ユーザやサービスマンは現在のＭＦＰ１０１の動作モードが確認印刷モード中にあることを確認することができる。
【００４７】
図４（ｃ）、（ｄ）にメンテナンスモードメニュー画面の一例を示す。メンテナンスモードメニューはサービスマンがメンテナンスモードを開始するための操作を行うことによって表示される。メンテナンスモードを開始するための操作とは、例えば、サービスマン用のＩＤとパスワードを操作部１１６に入力したり、操作部１１６に備えられたキーの長押し又は複数キーの同時押しなどの特別な操作である。これらの特別な操作はサービスマンのみが知っているものとし、一般のユーザには開示されない。
【００４８】
図４（ｃ）は、確認印刷モードがＯＦＦになっているときに、表示されるメンテナンスモードメニュー画面である。「確認印刷モード設定」ボタン５０１はメンテナンスモードから確認印刷モードの開始の指示をするための設定項目である。ユーザが「確認印刷モード設定」ボタン５０１をタッチまたは選択したことに従って、ＭＦＰ１０１は確認印刷モードの設定を受付ける。
【００４９】
図４（ｄ）は、確認印刷モードがＯＮになっているときに、表示されるメンテナンスモードメニュー画面である。「確認印刷モード設定解除」ボタン５０２は、確認印刷モードの終了を指示するための設定項目である。サービスマンが「確認印刷モード設定解除」ボタン５０２をタッチまたは選択することでＭＦＰ１０１は確認印刷モードを終了する。また、確認印刷モードが設定されてから所定時間経過または、サービスマンが何も操作をしない時間が所定時間経過したらＭＦＰ１０１は確認印刷モードを終了することとしてもよい。さらに、ユーザがＭＦＰ１０１を最後に操作してから所定の時間が経過し、ＭＦＰ１０１がスリープ状態となった場合には、スリープ状態から復帰するときに、確認印刷モードを終了するよう動作モードを切り替えることとしてもよい。
【００５０】
図４（ｃ）、（ｄ）の「試験用プリント」ボタン５０３は印刷物の画像の乱れや色のずれを調べるための画像を印刷するためのボタンである。試験用プリントはメンテナンスモードにおける印刷であるため課金されないジョブであり、ＳＲＡＭ１２５内の非課金カウンタでカウントされる。また、試験用プリントはメンテナンスモードでの印刷ではあるが、試験用の特別な画像を印刷するため、格子模様の重畳は行わない。
【００５１】
メンテナンスモードを終了させる際も特別なキー操作をすることにより通常モードまたは確認印刷モードに移行する。これらの操作はサービスマンのみが知り得る特別な操作であり一般のユーザには開示されない。また、サービスマンが何も操作しない時間が所定時間以上経過したことによりメンテナンスモードメニュー画面の表示を終了することとしてもよい。
【００５２】
図４（ｅ）は図４（ｂ）に示す確認印刷モードがＯＮになっているときの基本画面においてユーザがスタートキー３１６または３１７を押下したときに表示される画面である。確認画面６００は第１の実施形態に係る確認印刷モードにおける印刷が通常モードの印刷と異なることをユーザに通知する画面の例である。ユーザが「はい」を選択すると、ジョブが開始し印刷が行われ、ユーザが「いいえ」を選択するとコピー機能の基本画面４００がディスプレイ３２０に表示される。
【００５３】
本実施形態では、ディスプレイ３２０に「確認印刷モードです。出力物は正常に印刷されません。印刷を続行しますか？」というメッセージを表示する。しかし、ディスプレイ３２０に表示するメッセージは上記のメッセージに限定されない。例えば、「確認印刷モード設定中です。印刷を継続しますか？」や「確認印刷モードでは格子模様が付加された印刷物が出力されます。印刷を継続しますか？」というメッセージであってもよい。さらに、「確認印刷モードはメンテナンス時に利用するモードです。印刷を継続しますか？」のように確認印刷モードがメンテナンスのためのモードであることやサービスマンの利用するモードであることをユーザに通知するものであってもよい。このように、ユーザが印刷を開始しようとしたときに、現在の動作モードが確認印刷モードであることをユーザに通知する。これにより、一般のユーザが印刷時の動作モードが確認印刷モードであることに気がつかずに印刷を開始してしまうことを防ぐことができる。また、図４（ｅ）に示す確認画面で、確認印刷モードにおいてどのような印刷物が印刷されるかを表示することで、ユーザが確認印刷モードがどんなモードであるかを知らないまま印刷を開始してしまうことを防ぐことができる。
【００５４】
図５は通常モードおよび確認印刷モード設定時に出力される画像の例を示す図である。
【００５５】
図５の９００は通常モードで出力される画像である。通常モード設定時は読取部１１８を用いて読みとった画像データやネットワーク１００を介して受信した画像データを印刷する。通常モードが設定されている場合、図４（ａ）に示す基本画面の４０１で設定される設定に基づいて印刷を行う。たとえば、図４（ａ）であれば、部数「１部」、用紙「Ａ４：普通紙」等の設定で印刷を行う。
【００５６】
図５の９０１は確認印刷モード設定時に画像データに重畳するパターン画像の一例である。本実施形態では、読取部１１８を用いて読みとった画像データやネットワーク１００を介して受信した画像データに９０１に示す格子パターンを重畳することとして説明する。
【００５７】
図５の９０２は確認印刷モードにおいて出力される印刷物の一例である。確認印刷モードでは、読取部１１８の読みとった画像データやネットワーク１００を介して受信した画像データに、格子パターンを重畳して出力される。確認印刷モードが設定されている場合、図４（ｂ）に示す基本画面の４０１で設定される設定に加え、印刷するシート全体に９０１に示すパターン画像を重畳して印刷する。このように確認印刷モードでは、生成した画像に特定のパターンとして格子パターンを重畳することで、得られる印刷物がサービスマンによるテストプリントであることを明らかにすることができる。
【００５８】
図６はＭＦＰ１０１の動作モードの遷移を説明するフローチャートである。図６で示される処理手順は、ＭＦＰ１０１がメンテナンスモードを開始したことに従って開始される。ＭＦＰ１０１がメンテナンスモードを開始するための方法は、上述した通りであり、サービスマンが特殊な操作を行うことでメンテナンスモードが開始する。
【００５９】
図６に示す処理を実行するためのプログラムはＲＯＭ１１２又はストレージ１１４に記憶されており、ＲＯＭ１１２またはストレージ１１４に記憶されたプログラムをＲＡＭ１１３に展開してＣＰＵ１１１が実行することで各処理が実現される。
【００６０】
ＭＦＰ１０１の操作部１１６において、メンテナンスモードに入るための、サービスマンしか知り得ない特別な操作が実行されたことに従って、ＣＰＵ１１１はＭＦＰ１０１の動作モードをメンテナンスモードに切り替える（Ｓ１００１）。
【００６１】
次に、ＣＰＵ１１１はＲＡＭ１１３に記憶されている作業中フラグがＯＮかＯＦＦかを判断する（Ｓ１００２）。作業中フラグはＭＦＰ１０１の確認印刷モードが設定中であるか否かを判断するための制御フラグ（ＯＦＦ／ＯＮ）である。なお、確認印刷モードの設定に関する制御フラグは、ＭＦＰ１０１の起動時にＣＰＵ１１１によってＯＦＦに初期化される。従って、起動後、最初にメンテナンスモードに入ったときは、作業中フラグはＯＦＦとなっている。
【００６２】
作業中フラグがＯＦＦの場合、ＣＰＵ１１１は、図４（ｃ）の「確認印刷モード設定」ボタン５０１を含む画面５００をディスプレイ３２０に表示する（Ｓ１００３）。
【００６３】
一方、作業中フラグがＯＮの場合、ＣＰＵ１１１は、図４の（ｄ）の「確認印刷モード設定解除」ボタン５０２を含む画面５００をディスプレイ３２０に表示する（Ｓ１００４）。
【００６４】
次に、ＣＰＵ１１１はユーザが行った操作が何であるかを判定する。本フローチャートでは、ユーザの行った操作が「確認印刷モード設定」ボタン５０１の押下、「確認印刷モード設定解除」ボタン５０２の押下、メンテナンスモードを終了するための操作のいずれかであった場合について説明する。その他の操作については、それぞれの項目に対応する処理をＣＰＵ１１１が行うこととし、本フローチャートでは説明を行わないこととする。
【００６５】
「印刷確認モード設定」ボタン５０１が押下されたとＣＰＵ１１１が判断した場合、ＣＰＵ１１１は作業中フラグをＯＮにする。そして、ＣＰＵ１１１は処理をＳ１００２に戻し、ディスプレイ３２０に「確認印刷モード設定解除」ボタン５０２を表示する（Ｓ１００３）。その後、Ｓ１００５において、ＣＰＵ１１１は次の操作を受け付ける。
【００６６】
一方、「確認印刷モード設定解除」ボタン５０２が押下されたとＣＰＵ１１１が判断した場合、ＣＰＵ１１１は作業中フラグをＯＦＦにする（Ｓ１００７）。そして、ＣＰＵ１１１は処理をＳ１００２に戻し、作業中フラグに従って、「確認印刷モード設定」ボタン５０１を表示する（Ｓ１００４）。その後、Ｓ１００５において、ＣＰＵ１１１は次の操作を受け付ける。
【００６７】
ＣＰＵ１１１がメンテナンスモードを終了するための操作を受け付けた場合、ＣＰＵ１１１は作業中フラグがＯＮであるか否かを判定する（Ｓ１００８）。メンテナンスモードを終了するための操作は、サービスマンが操作部１１６を介して不図示のキーを操作したか否かを判断することにより行われる。あるいは、サービスマンが何も操作しない時間が所定時間経過したことによりメンテナンスモード画面の表示を終了することとしてもよい。
【００６８】
作業中フラグがＯＮであれば、ＣＰＵ１１１は動作モードを確認印刷モードに変更する（Ｓ１００９）。ＣＰＵ１１１は動作モードを確認印刷モードとし、ディスプレイ３２０に図４（ｆ）に示す、ホーム画面を表示する。本実施形態では、ＣＰＵ１１１が動作モードを確認印刷モードに変更した後、ホーム画面を表示することとして説明する。しかし、ＣＰＵ１１１が動作モードを変更したのち、ユーザがメンテナンスモードを開始するための操作を行ったときにディスプレイ３２０に表示されている画面に対応する画面をディスプレイ３２０に表示することとしてもよい。例えば、ユーザがメンテナンスモードを開始するための操作を行ったときに図４（ａ）に示すコピー機能の基本画面が表示されていたとする。この場合に、メンテナンスモード終了後、図４（ｂ）に示す確認印刷モード時のコピー機能の基本画面をディスプレイ３２０に表示することとしてもよい。
【００６９】
メンテナンスモードを終了するための操作が行われたときに、作業中フラグがＯＦＦであった場合、ＣＰＵ１１１は動作モードを通常モードへ変更する（Ｓ１０１０）。ＣＰＵ１１１は動作モードを通常モードとし、ディスプレイ３２０に図４（ｆ）に示すホーム画面を表示する。本実施形態では、通常モードに移行したのち、ディスプレイ３２０にホーム画面を表示する場合を例に説明をする。しかし、ＣＰＵ１１１は動作モードを通常モードにした後、メンテナンスモードを開始するための動作がおこなわれたときにディスプレイ３２０に表示されていた画面に対応する画面をディスプレイ３２０に表示することとしてもよい。例えば、図４（ａ）に示すコピー機能の基本画面でメンテナンスモードを開始するための操作が行われた場合、メンテナンスモード終了後、図４（ａ）に示すコピー機能の基本画面を表示する。
【００７０】
図６に示す処理をＣＰＵ１１１が実行することにより、動作モードを確認印刷モードに設定したり、通常モードに設定したりすることができる。
【００７１】
図７は各機能の基本画面において、ジョブ開始指示を受信してから、画像を出力するのに係る処理を示したフローチャートである。図７に示すフローチャートの各ステップは、ＲＯＭ１１２またはストレージ１１４に記憶されている。ＣＰＵ１１１がＲＯＭ１１２またはストレージ１１４に記憶されたプログラムをＲＡＭ１１３に展開して実行することで図７に示すフローチャートの処理を実現する。操作部１１６のハードキーおよびディスプレイ３２０を介してジョブを開始するための操作がなされたと判断した場合に、ＣＰＵ１１１は図７に示すフローチャートに対応する制御を実行する。
【００７２】
図７に示すフローチャートは、図４（ｆ）に示すホーム画面においてユーザが印刷に関する機能を選択し、選択された機能の基本画面をＣＰＵ１１１がディスプレイ３２０に表示することで開始する。印刷に関する機能とは、たとえば、コピー機能やファクス機能等である。
【００７３】
ＣＰＵ１１１は操作部１１６から印刷を伴うジョブ開始指示を受け付ける（Ｓ２００１）。印刷を伴うジョブ開始指示とは、たとえば、図４（ａ）に示すコピー機能の基本画面においてスタートキー３１６または３１７を押下する等である。ユーザがスタートキー３１６または３１７を押下したことに従って、ＣＰＵ１１１はジョブ開始指示を受信する。
【００７４】
ＣＰＵ１１１はＭＦＰ１０１の作業中フラグがＯＮであるか否かを判定する（Ｓ２００２）。通常モードであれば、作業中フラグがＯＦＦである。作業中フラグがＯＦＦであるとき、ＣＰＵ１１１はＳ２００１でジョブ開始指示をされた印刷ジョブについてユーザが設定した印刷設定に基づいて画像データを生成する（Ｓ２００３）。ユーザが設定した印刷設定とは、ディスプレイ３２０に基本画面が表示されているときに、ユーザが４０１の領域を用いて行った設定である。
【００７５】
ＣＰＵ１１１はユーザの設定した印刷設定に基づいて画像を生成した後、生成した画像をそのまま出力する（Ｓ２００４）。
【００７６】
画像データの出力を終えた後、ＣＰＵ１１１は課金カウンタをカウントアップする（Ｓ２００５）。課金カウンタは印刷するシート一枚ごとに１つカウントされることとする。本実施形態では、印刷するシート一枚ごとに課金カウンタを一つカウントすることとして説明するが、１ジョブ毎にカウントをひとつ大きくするや、使用したトナーやインクの量に応じて課金カウンタをカウントすることとしてもよい。
【００７７】
一方で、Ｓ２００２において、動作モードが確認印刷モードであれば、作業中フラグがＯＮである。ＣＰＵ１１１はディスプレイ３２０に設定されている動作モードが確認印刷モードであることを通知し、印刷を実行するか否かをユーザに選択させる確認画面６００を表示する（Ｓ２００６）。ユーザに現在設定されている動作モードが確認印刷モードであることを通知することで、確認印刷モードで動作中であることに気がつかず印刷を開始しようとしたユーザに、現在の動作モードが確認印刷モードであることを知らせることができる。さらに、確認印刷モードでは通常モードと異なる印刷物が出力されることをユーザに通知する。これにより、確認印刷モードでどのような印刷物が出力されるかを知らないユーザが、通常モードと異なる印刷物が印刷されることを知ることができる。
【００７８】
確認画面６００をディスプレイ３２０に表示した後、ＣＰＵ１１１はユーザが印刷続行を選択したか否かを判定する（Ｓ２００７）。図４（ｅ）に示すように、ＣＰＵ１１１が確認画面６００をディスプレイ３２０に表示した後に、印刷を続行するか否かをユーザが選択できるようにする。このようにすることで、通常モードと同様の印刷物を印刷したいユーザは確認印刷モードでの印刷を中断することが可能となる。
【００７９】
確認画面６００で印刷を続行しないことをユーザが選択した場合、ＣＰＵ１１１は印刷に係る処理を終了する。印刷に係る処理を終了したのち、ＣＰＵ１１１はディスプレイ３２０にジョブ開始指示を受け付けた時に表示されていた機能の基本画面を表示する。例えば、図４（ｂ）に示す、確認印刷モードにおけるコピー機能の基本画面においてユーザがスタートキー３１６または３１７を押下した場合、印刷処理を中断した後、図４（ｂ）に示す画面をディスプレイ３２０に表示する。本実施形態では、印刷処理を中止した場合に、ＣＰＵ１１１がディスプレイ３２０に基本画面を表示する場合を例に説明する。しかし、図７に示す処理を実行した後、ＣＰＵ１１１がディスプレイ３２０にホーム画面７００を表示してもよい。
【００８０】
確認画面６００において機能実行の続行を指示された場合、ＣＰＵ１１１は印刷ジョブの画像を生成する（Ｓ２００８）。印刷ジョブの画像は読取部１１８を介して入力された画像データまたはネットワーク１００を介して外部の画像処理装置から受信した画像データである。上記の画像データおよび、図４（ｂ）に示す基本画面の４０１の領域においてユーザが設定した設定に基づいてＣＰＵ１１１は印刷する画像データを生成する。
【００８１】
ＣＰＵ１１１は生成した画像に格子パターンを重畳した画像データを生成する（Ｓ２００９）。ユーザの設定した印刷設定に係わらず、Ｓ２００８で生成した画像データに格子パターンを重畳することで、出力した印刷物がテストプリントであることをわかりやすくすることができる。
【００８２】
ＣＰＵ１１１は格子パターンを重畳した画像データについて印刷部１２０を介して出力する（Ｓ２０１０）。さらに、ＣＰＵ１１１はＳＲＡＭ１２５内の非課金カウンタをカウントアップする（Ｓ２０１１）。確認印刷モードにおいて印刷されたシートの枚数と同じ分だけ非課金カウンタのカウントを大きくする。テストプリント時は非課金カウンタをカウントアップすることで、メンテナンスに用いられた用紙の枚数を明確にすることができる。本実施形態では確認印刷モードで印刷されたシートの枚数と同じ分のカウントを行う場合について説明した。しかし、非課金カウンタをジョブごとや使用したトナーやインクの量に応じてカウントすることとしてもよい。また、確認印刷モードにおいて印刷したシートの枚数をカウントしないこととしてもよい。
【００８３】
ＣＰＵ１１１は非課金カウンタのカウントアップを終えた後に、印刷処理を終了する。印刷処理を終了したのち、ＣＰＵ１１１はディスプレイ３２０にジョブ開始指示を受け付けたときに表示されていた機能の基本画面を表示する。たとえば、図４（ｂ）に示すコピー機能の基本画面において、ＣＰＵ１１１がジョブ開始指示を受け付けた場合、ＣＰＵ１１１はＳ２０１１に示す処理を実行したのち、コピー機能の基本画面をディスプレイ３２０に表示する。本実施形態では、ジョブ開始指示を受け付けたときの画面をディスプレイ３２０に表示することとして説明する。しかし、Ｓ２０１１の処理を終えた後、ＣＰＵ１１１がホーム画面７００をディスプレイ３２０に表示することとしてもよい。
【００８４】
第１の実施形態では、確認印刷モードで印刷を行う場合に、現在設定されている動作モードが確認印刷モードであることをユーザに通知する。これにより、ユーザが、動作モードが印刷開始指示をするまでに、確認印刷モードが設定されていることに気がつかなかった場合でも、現在の印刷モードが確認印刷モードであることをユーザに知らせることができる。さらに、確認印刷モードにおける印刷物が通常モードで印刷される印刷物と異なることをユーザに通知することで、ユーザは確認印刷モードにおいて印刷される印刷物が通常モードで印刷される印刷物と異なることを知ることができる。また、確認印刷画面にユーザが印刷を継続するか否かを決定するためのボタンを表示する。これにより、一般のユーザが通常モードで印刷を行いたい場合に誤って、確認印刷モードでジョブを開始するための指示をしてしまったとしても、ユーザが意図しない所定のパターン画像が重畳された印刷物の印刷を開始してしまうことを防ぐ。
【００８５】
（第２の実施形態）
第１の実施形態では、確認印刷モードにおいてユーザが印刷指示を行った場合に、確認印刷モードで印刷を行う旨をユーザに通知する場合について説明した。しかし、この方法では、ユーザは印刷ジョブを印刷する直前の操作まで行わなくては、現在設定されている動作モードが確認印刷モードであることにユーザが気がつくことができない。そこで、第２の実施形態では、確認印刷モードが設定された状態のホーム画面において、コピー機能やプリント機能等印刷ジョブが実行可能な機能をユーザが選択した場合に、確認印刷モードが通常モードと異なることをユーザに通知する。このようにすることで、ユーザはホーム画面から使用したい機能を選択するときに、現在設定されている動作モードが確認印刷モードであることを知ることができる。
【００８６】
図４（ａ）、（ｂ）、（ｆ）および図８に第２の実施形態においてディスプレイ３２０に表示される画面の例を示す。図４（ａ）、（ｂ）、（ｆ）および図８を用いて、第２の実施形態において、ディスプレイ３２０の表示がどのように変化するかを説明する。
【００８７】
図４（ｆ）はディスプレイ３２０に表示されるホーム画面である。ホーム画面にはＭＦＰ１０１に備えられた各機能の基本画面をディスプレイ３２０に表示するためのボタンが備えられている。ユーザはスクロールキー３１２Ｕ、３１２Ｒ、３１２Ｄ、３１２ＬおよびＯＫキー３１１を用いて、機能を選択することで選択された機能の基本画面を表示させることができる。図４（ｆ）では、ボタンの色の反転しているコピー機能が選択されている。
【００８８】
図４（ｆ）に示すコピー機能が選択された状態で、ユーザがＯＫキー３１１を押下する。ＭＦＰ１０１の動作モードが通常モードであれば図４（ａ）に示す、コピー機能の基本画面をディスプレイ３２０に表示する。ホーム画面で機能が選択されたときに動作モードが確認印刷モードであれば、図８に示す確認画面をディスプレイ３２０に表示する。ユーザが「はい」ボタン７０２をタッチまたはＯＫキー３１１を押下して選択した場合、ＣＰＵ１１１はディスプレイ３２０に表示される画面を図４（ｂ）の画面に変更する。確認画面で表示するメッセージは図８に示した内容に限らない。たとえば、「確認印刷モードが設定されています。機能画面へ移行しますか。」「確認印刷モードです。このモードでは印刷物に格子模様が付加されて印刷されます。」等のメッセージを表示してもよい。また、「確認印刷モードです。このモードはサービスマンが利用するモードです。」というような表示でもよい。図８に示す確認画面において、ユーザが「いいえ」７０３をタッチまたはＯＫキー３１１を押下して選択した場合、ＣＰＵ１１１はディスプレイ３２０に図４（ｆ）に示すホーム画面を表示する。各機能の基本画面を表示する前に、ディスプレイ３２０に確認画面を表示することで、ユーザに現在の動作モードが確認印刷モードであることを通知することができる。さらに、確認印刷モード設定時にどのような印刷物が印刷されるかをユーザに通知することで、一般のユーザであっても確認印刷モードにおいてどのような印刷物が出力されるかを知ることができる。
【００８９】
第２の実施形態において、サービスマンが確認印刷モードを設定するための方法は第１の実施形態の図６で説明した方法と同様であるため説明を省略する。
【００９０】
図９に第２の実施形態に係るフローチャートを示す。図９に示すフローチャートの各ステップは、ＣＰＵ１１１がＲＯＭ１１２またはストレージ１１４に記憶された制御プログラムをＲＡＭ１１３に展開して実行する。ＣＰＵ１１１は、操作部１１６を介して選択し４０３を指定されたと判断した場合に、図９に示すフローチャートに対応する制御を実行する。
【００９１】
ＣＰＵ１１１は印刷に関する各機能の基本画面を表示するための指示を受け付ける（Ｓ３００１）。ディスプレイ３２０にホーム画面が表示されているとき、ユーザがコピーやファクス等印刷に関する機能のボタンを押下したことに従って、ＣＰＵ１１１は指示された機能の基本画面をディスプレイ３２０に表示するための指示を受信する。
【００９２】
印刷に関する各機能の基本画面を表示するための指示を受け付けた後、ＣＰＵ１１１は作業中フラグがＯＮであるかを確認する（Ｓ３００２）。作業中フラグがＯＦＦである場合、ＭＦＰ１０１の動作モードは通常モードである。このとき、ＣＰＵ１１１は操作部１１６のディスプレイ３２０に指定された機能の基本画面４００を表示する（Ｓ３００３）。
【００９３】
一方で、作業中フラグがＯＮであれば、ＭＦＰ１０１の動作モードは確認印刷モードである。この時、ＣＰＵ１１１はディスプレイ３２０に確認画面７０１を表示する（Ｓ３００４）。
【００９４】
ディスプレイ３２０に確認画面７０１が表示された後、ＣＰＵ１１１は各機能の基本画面を表示するか否かの選択を受け付ける。
【００９５】
ＣＰＵ１１１はユーザの操作が基本画面の表示を行うための操作か否かを判定する（Ｓ３００５）。ユーザが利用したい機能を選択した後、ＣＰＵ１１１がディスプレイ３２０に確認画面を表示する。このようにすることで、ＭＦＰ１０１の動作モードが確認印刷モードであることをユーザに通知することができる。また、確認印刷モードが設定されているとき、出力される印刷物が通常の印刷物と異なるものであることをユーザに通知することができる。
【００９６】
ユーザが基本画面を表示するための操作を行った場合、すなわち確認画面において、「はい」ボタン７０２をタッチまたは選択した場合、ＣＰＵ１１１は選択された機能の基本画面をディスプレイ３２０に表示する（Ｓ３００７）。ＣＰＵ１１１は選択された機能の基本画面をディスプレイ３２０に表示したのち、図９に示す処理を終了する。
【００９７】
一方、ユーザが各機能の基本画面を表示するための操作を行わなかった場合、すなわち確認画面において「いいえ」ボタン７０３をタッチまたは選択した場合、ＣＰＵ１１１はホーム画面をディスプレイ３２０に表示する（Ｓ３００６）。ホーム画面をディスプレイ３２０に表示した後、ＣＰＵ１１１は図９にかかる処理を終了する。
【００９８】
第２の実施形態では、図９に示す処理を行い各機能の基本画面をディスプレイ３２０に表示させた後、ユーザによるジョブ開始指示を受け付ける。ジョブ開始指示を受け付けた後にＣＰＵ１１１が実行する処理は図７に示した処理と同様であるため説明を省略する。ただし、ユーザが利用する機能を選択した後に一度確認画面をディスプレイ３２０に表示するため、Ｓ２００６に示す処理は行わなくてもよい。ホーム画面において機能選択時に確認画面を表示し、印刷時に確認画面を表示しないとすることで、サービスマンがテストプリントを行う度に確認画面における操作を行わなくても印刷を開始することができるようになる。
【００９９】
第２の実施形態のようにユーザがホーム画面において機能を選択したときに確認画面をディスプレイに表示する。このようにすることで、ユーザが印刷部による印刷に関する機能を利用しようとしたときに、現在設定されている動作モードが確認印刷モードであることを通知することができる。また、確認印刷モードが通常モードで出力される印刷物と異なることをディスプレイに表示することで、確認印刷モードでは通常モードと異なる印刷物が印刷されることをユーザに通知することができる。
【０１００】
（第３の実施形態）
第１、第２の実施形態により、ユーザに現在設定されている動作モードが確認印刷モードであり、また、確認印刷モードが通常モードで出力される印刷物と異なることをユーザに通知することが出来る。
【０１０１】
しかし、第１、第２の実施形態ではユーザは確認印刷モード解除できないため、正常に印刷を行うことが出来ない。第３の実施形態では確認印刷モード解除手段をユーザに提供することで、ユーザが通常モードで印刷できない状況を解決する。
【０１０２】
第３の実施形態において、サービスマンが確認印刷モードを設定するための方法は第１の実施形態の図６で説明した方法と同様であるため説明を省略する。
【０１０３】
ジョブ開始指示を受け付けた後にＣＰＵ１１１が実行する処理は図７に示した処理と同様であるため説明を省略する。ただし、後述する構成により、ユーザは容易に確認印刷モードを解除することが出来るため、Ｓ２００６に示す処理は本実施例においては必須ではない。
【０１０４】
図１０（ａ）は第３の実施形態における確認印刷モード中のコピー機能の基本画面の一例である。４０２で示すように、確認印刷モードを表す表示がなされる。また、４０３で示すように確認印刷モードを解除するため設定項目（確認印刷モード解除）が表示されている。４０３を選択すると図１０（ｇ）で示す画面を表示し、印刷確認モードを解除することが出来る。
【０１０５】
すなわち、特殊な操作を要するメンテナンスモードに入ってからの設定解除や、装置の電源ＯＦＦ等を要する設定初期化による設定解除を行うことなく、ユーザは容易に通常モードに移行させることができる。
【０１０６】
前述のとおり印刷確認モードはサービスマンが利用するためのモードであり、ユーザが利用するモードではないため、ユーザは解除のみが可能な画面を表示することが望ましい。
【０１０７】
また、図１０（ａ）のようにリストから設定項目を選択できる構造のユーザーインターフェースを持つ場合には、４０３で示す確認印刷モードを解除するためメニューは、確認印刷モードにおいて、確認印刷モードにおいて画像パターンを重畳する対象となるジョブの投入画面や設定画面でのみ、表示するようにする。
【０１０８】
このようにすることで、スキャン機能や、後述するその他実施例におけるＦＡＸ機能など、画像パターンを重畳する対象とならないジョブ設定画面ではユーザはモードを気にすることなく作業することが出来る。
【０１０９】
図１０（ｂ）は図１０（ａ）と同じく、第３の実施形態における確認印刷モード中のコピー機能の基本画面の一例である。
【０１１０】
４０４は確認印刷モードを表す表示あるとともに、４０４は他の設定項目同様に選択可能である。例えばタッチ入力式のユーザーインターフェースである場合、４０４の表示域をタッチすると、図１０（ｇ）で示す画面を表示するようにしてもよい。
【０１１１】
図１０（ｂ）のような形式を用いることで、確認印刷モードを表す表示を行うすべての画面から図１０（ｇ）へ遷移することが出来る。例えば図１０（ｈ）のようにホーム画面に確認印刷モードを表す表示を行い、それをタッチすることで、確認印刷モード解除のための画面（図１０（ｇ））に遷移することが出来る。
【０１１２】
図１０（ｂ），図１０（ｈ）のような形態をとることで、ユーザは確認印刷モードに気づくと、すぐに解除することが可能になる。たま、サービスマンにとっても少ない操作でより簡単に、確認印刷モードを解除することが出来るため、作業時間が短縮され、サービス性が向上する。
【０１１３】
（第４の実施形態）
確認印刷モードを表す表示に関して、図４（ｂ）、図１０（ａ）の４０２や図１０（ｂ）の４０４のように特別な表示領域を用意せず、用紙なしや消耗品寿命通知などの、ＭＦＰ１０１の各種ステータス表示を行うためのステータス表示領域を使用して、確認印刷モードであることをユーザに通知することが考えられる。
【０１１４】
この場合、ユーザへの通知方法が各種ステータスと同様となるため、確認印刷モードの解除方法表示画面も他のＭＦＰ１０１の各種ステータスの解除方法画面と同様の手順で表示可能とする。
【０１１５】
このようにすることで、ユーザは見慣れない「確認印刷モード」の表示に対しても、容易に確認印刷モードの解除方法表示画面への遷移方法を想像することが出来、確認印刷モードの解除方法表示画面まで画面を遷移させることが出来る。
【０１１６】
第４の実施形態において、サービスマンが確認印刷モードを設定するための方法は第１の実施形態の図６で説明した方法と同様であるため説明を省略する。
【０１１７】
ジョブ開始指示を受け付けた後にＣＰＵ１１１が実行する処理は図７に示した処理と同様であるため説明を省略する。
【０１１８】
図１０（ｃ），（ｄ），（ｅ），（ｆ），（ｇ）を用いて、第４の実施例の表示画面について説明する。
【０１１９】
図１０（ｃ）ＭＦＰ１０１において、カセット１の用紙なし状態が発生した際のコピー基本画面の例である。図１０（ｃ）４０５で示す表示域はＭＦＰ１０１の状態をユーザに通知するためのステータス表示領域である。
【０１２０】
図１０（ｃ）においては４０６で示すようにカセット１の用紙なし状態が表示される。４０５の表示域に表示すべき情報が複数ある場合、複数のメセージが順に入れ替わり表示される。例えば用紙なしと同時に、消耗品寿命が発生している場合、「用紙なし」のメッセージと「消耗品寿命」のメッセージが交互に表示されることになる。
【０１２１】
ＭＦＰ１０１の発生中の各種状態対する解除方法や状況の確認は、図３記載の状況確認キー３０２から行う。状況確認キー３０２を押下すると、図１０（ｅ）に示すような発生中のエラー、デバイス情報、各種ジョブ状況を表示するための選択肢が表示される。
【０１２２】
図１０（ｅ）でフォーカスしているエラー情報を表示するための選択肢８０１を選択すると、図１０（ｆ）に示すようなエラーリストが表示される。エラーリストには各種対処が必要な可能性のある状態がリストされる。
【０１２３】
エラーリストから状態を選択すると、当該状態に対する対処方法や説明が表示される。例えば図１０（ｆ）おいて「用紙なし」の状態を選択した場合、用紙の補給方法が表示される。
【０１２４】
第４の実施例において、確認印刷モードで動作している状態は、確認印刷モードは表示域４０６に表示すべきＭＦＰ１０１の状態として扱われ、確認印刷モードで動作している場合、図１０（ｄ）で示すように、表示域４０６に４０７で示すようなメッセージを表示する。また、同時にカセット１用紙なし発生している場合は、図１０（ｃ）、（ｄ）が交互に表示されることになる。
【０１２５】
確認印刷モードで動作している場合に、状況確認キー３０２を押下すると、図１０（ｅ）が表示され、さらに８０１を選択すると、図１０（ｆ）で示すエラーリストが表示される。図１０（ｆ）は、用紙なしの状態かつ、確認印刷モード状態の場合のエラーリストの例である。
【０１２６】
図１０（ｆ）においてさらに確認印刷モード９０１を選択すると、図１０（ｇ）を表示する。
【０１２７】
図１０（ｇ）では確認印刷モードの設定を解除するか否かを選択することが出来る。
【０１２８】
図１０（ｇ）において、「はい」を選択すると、確認印刷モードを解除し、ほかにエラーリストがあれば図１０（ｆ）に戻る、ほかにエラーリストがない場合、８０１（ｅ）に戻る。図１０（ｇ）において、「いいえ」を選択すると確認印刷モードを解除することなく、図１０（ｆ）に戻る。
【０１２９】
第４の実施形態によれば、ユーザは見慣れない「確認印刷モード」の表示に対しても、容易に確認印刷モードの解除方法表示画面への遷移方法を想像することが出来るため、容易に確認印刷モードの解除を行うことが出来る。
【０１３０】
（第５の実施形態）
第１の実施形態では図４（ｅ）にかわり、図１１に示す、確認印刷モードのまま印刷する（印字継続）か、確認印刷モードを解除して印刷するか、ジョブを中止するかを選択させる画面を表示するように構成してもよい。
【０１３１】
図４（ｅ）にかわり、図１１の画面表示を行う際の動作について、図１２のフローチャートを用いて説明する。ジョブ開始指示を受け付けた後にＣＰＵ１１１が実行する処理は、第１の実施形態の図７に示したＳ２００２において作業中フラグがＯＮでないと判断される場合には第１の実施形態と同様である（Ｓ２００１〜Ｓ２００５）。
【０１３２】
Ｓ２００２において作業中フラグがＯＮであると判断された以降のフローに関して図１２に示す。
【０１３３】
第５の実施形態において、Ｓ２００２において作業中フラグがＯＮであると判断されるとＣＰＵ１１１は図１１に示す、確認印刷モードのまま印刷する（印字継続）か、確認印刷モードを解除して印刷するか、ジョブを中止するかを選択させる画面を表示する（Ｓ４００１）。
【０１３４】
「確認印刷モードのまま印刷する（印字継続）」を選択したと判断される（Ｓ４００２のＹＥＳ）と、Ｓ４００３に処理を進める。Ｓ４００３〜Ｓ４００６の処理は、第１の実施形態における図７のＳ２００８〜Ｓ２０１１と同様であるため、説明を省略する。
【０１３５】
Ｓ４００２、Ｓ４００７においてユーザが「確認印刷モードを解除して印刷」を選択したと判断すると、作業中フラグをＯＦＦに変更（Ｓ４００８）し、処理をＳ４００９に進める。
【０１３６】
Ｓ４００９〜Ｓ４０１１の処理は第１の実施形態における図７のＳ２００３〜Ｓ２００５と同様であるため、説明を省略する。
【０１３７】
Ｓ４００２、Ｓ４００７においてユーザが印刷をしないことを選択したと判断するとＣＰＵ１１１は印刷にかかわる処理を終了する。
【０１３８】
第５の実施形態において、サービスマンが確認印刷モードを設定するための方法は第１の実施形態の図６で説明した方法と同様であるため説明を省略する。
【０１３９】
（第６の実施形態）
第２の実施形態では図８にかわり、図１０（ｇ）に示す、確認印刷モードを解除するか否かを確認する画面を表示するように構成してもよい。第２の実施形態において図８にかわり、図１０（ｇ）の画面表示を行う際の、動作について、図１３のフローチャートを用いて説明する。
【０１４０】
第６の実施形態にける印刷に関する機能の基本画面を表示するための処理を受け付けた際の動作は、作業中フラグがＯＦＦである場合に関して、第２の実施形態における図９で示されるＳ３００１〜Ｓ３００３と同様であるため、説明を省略する。
【０１４１】
Ｓ３００２において作業中フラグがＯＮであると判断された場合の動作に関して、第６の実施形態における動作を図１３のフローチャートを用いて説明する。
【０１４２】
第６の実施形態において、作業中フラグがＯＮ状態で印刷に関する機能の基本画面を表示するための処理を受け付けた場合、図１０（ｇ）に示す、確認印刷モードを解除するか否かを確認する画面を表示する（Ｓ５００１）。
【０１４３】
Ｓ５００２においてユーザが確認印刷モードを解除することを選択したと判断した場合、作業中フラグをＯＦＦに変更し（Ｓ５００３）、機能画面を表示する（Ｓ５００４）。Ｓ５００２においてユーザが確認印刷モードを解除しないことを選択したと判断した場合、作業中フラグは変更せず機能画面を表示する（Ｓ５００４）。
【０１４４】
このようにすることで、確認印刷モード設定中であっても、サービスマンでない一般のユーザが確認印刷モードを終了させ、通常モードで印刷を開始することができる。
【０１４５】
（その他の実施形態）
第１、第２の実施形態では印刷を実行することのできる機能が選択された場合に、ジョブをスタートするための指示がなされた後、または機能選択時に確認画面を表示する場合について説明した。しかし、印刷を実行する機能であっても、ユーザが意図していないタイミングで印刷の行われる可能性のあるＦＡＸ機能は課金対象外の印刷物とせず、確認画面を表示しないこととしてもよい。
【０１４６】
第１、第２の実施形態では、確認画面を表示するときに、確認印刷モードでは通常モードと異なる印刷物が出力される旨を通知する場合について説明した。しかし、確認印刷モードが設定されている間、常に確認印刷モードにおける印刷物が通常モードにおける印刷物と異なる旨を通知するメッセージを表示しておくこととしてもよい。
【０１４７】
本実施形態では、所定のパターン画像として格子パターンを用いる場合について説明した。しかし、所定のパターン画像は上記のパターンに限られない。例えば、所定のスタンプを印刷データに重畳して印刷する等でもよい。
【０１４８】
第１、第２の実施形態では、確認印刷モードにおいて、ＣＰＵ１１１はユーザの印刷したい画像データの画像を生成した後に、格子パターンを重畳した画像データを生成した。しかし、予め用意した格子データの上にユーザの印刷したい画像データを重畳することとしてもよい。
【０１４９】
第１、第２の実施形態では、図６、図７、図９に示すフローチャートに係る処理をＭＦＰ１０１のＣＰＵ１１１が実行することとして説明した。しかし、これらにかかる処理をＭＦＰ１０１にネットワーク等を介して接続されたコンピュータ等のＣＰＵが実行することとしてもよい。
【０１５０】
第１、第２の実施形態では、図４（ｅ）または図８において「いいえ」ボタン６０２または７０３をユーザが選択したときに、ＣＰＵ１１１はＭＦＰ１０１の動作モードを確認印刷モードのままにする場合について説明した。
【０１５１】
しかし、確認画面６００や７０１において「いいえ」ボタン６０２または７０３が選択された場合に、ＣＰＵ１１１が確認印刷モードを終了するか否かをユーザに選択させる画面をディスプレイ３２０に表示させることとしてもよい。このようにすることで、確認印刷モード設定中であっても、サービスマンでない一般のユーザが確認印刷モードを終了させ、通常モードで印刷を開始することができる。
【０１５２】
第１、第２の実施形態では、ＭＦＰ１０１は課金対象の印刷物の印刷枚数を数える課金カウンタと課金対象とならない印刷物の印刷枚数を数える非課金カウンタを備えることとして説明した。しかし、画像形成装置が課金対象とならない印刷物の印刷枚数を数える非課金カウンタを備えず、課金カウンタのみを備えることとしてもよい。
【０１５３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのコンピュータプログラム、及び該コンピュータプログラムを記憶した記憶媒体は本発明を構成することになる。
【図１】
2018008516.tif 000003
【図２】
2018008516.tif 000004
【図３】
2018008516.tif 000005
【図４】
2018008516.tif 000006
【図５】
2018008516.tif 000007
【図６】
2018008516.tif 000008
【図７】
2018008516.tif 000009
【図８】
2018008516.tif 000010
【図９】
2018008516.tif 000011
【図１０】
2018008516.tif 000012
【図１１】
2018008516.tif 000013
【図１２】
2018008516.tif 000014
【図１３】
2018008516.tif 000015